(57)【特許請求の範囲】
【請求項１】
乗客コンベアに搭乗する乗客を検出する乗客検出部と、時間帯毎に前記乗客コンベアの搭乗人数の予測値ｎａを記録する負荷記録部と、前記乗客コンベアの踏段の移動速度を制御する速度制御部とを備え、
前記速度制御部は、対応する時間帯の搭乗人数の予想値ｎａに応じて前記踏段の移動速度を決定する速度決定部と、
当該時間帯における搭乗人数の予測値ｎａと当該時間帯における前記乗客検出部で検出された搭乗人数の実測値ｎｂとの差（ｎａ−ｎｂ）を算出し、当該算出した差を当該時間帯において残存する搭乗人数ｎｃとする残存搭乗人数算出部と、
前記残存搭乗人数算出部が算出した残存する搭乗人数ｎｃが少なくなると前記踏段の速度を減速する速度変更部とを備えることを特徴とする乗客コンベアの制御装置。
【請求項２】
前記負荷記録部は、過去に前記乗客検出部が検出した時間帯毎の前記乗客コンベアの搭乗人数に基づいて前記搭乗人数の予測値ｎａを設定することを特徴とする請求項１に記載の乗客コンベアの制御装置。
【発明の詳細な説明】
【技術分野】
【０００１】
本発明の実施形態は、乗客コンベアの制御装置に関する。
【背景技術】
【０００２】
エスカレータや動く歩道などの乗客コンベアを駆動制御する乗客コンベアの制御装置では、モータに供給する電力の周波数をインバータ等の電力変換装置を用いて制御して、踏段の移動速度（乗客コンベアの運転速度）を複数の速度に切り替えられるようにしたものが知られている。
【０００３】
例えば、特許文献１には、過去における乗客コンベアへの乗客の搭乗人数を時間帯毎に蓄積しておき、この蓄積した搭乗人数を平均化することによって時間帯毎の乗客の搭乗人数の予測値を求め、この予測値に基づいて乗客コンベアの運転速度を決定する制御装置が開示されている。
【先行技術文献】
【特許文献】
【０００４】
【特許文献１】特開昭６３−１３４４９０号公報
【発明の概要】
【発明が解決しようとする課題】
【０００５】
しかしながら、特許文献１に開示されているように過去の利用状況、つまり、乗客の搭乗人数から算出した予測値に基づいて乗客コンベアの踏段の移動速度を切り換える場合、必ずしも実際の利用状況に即した適切な運転速度で運転が行われないという問題がある。
【０００６】
以上の点に鑑みてなされたものであり、実際の利用状況に即した適切な運転速度で乗客コンベアを運転させることができる乗客コンベアの制御装置を提供することを目的とする。
【課題を解決するための手段】
【０００７】
実施形態に係る乗客コンベアの制御装置は、乗客コンベアに搭乗する乗客を検出する乗客検出部と、時間帯毎に前記乗客コンベアの搭乗人数の予測値ｎａを記録する負荷記録部と、前記乗客コンベアの踏段の移動速度を制御する速度制御部とを備え、前記速度制御部は、対応する時間帯の搭乗人数の予想値ｎａに応じて前記踏段の移動速度を決定する速度決定部と、当該時間帯における搭乗人数の予測値ｎａと当該時間帯における前記乗客検出部で検出された搭乗人数の実測値ｎｂとの差（ｎａ−ｎｂ）を算出し、当該算出した差を当該時間帯において残存する搭乗人数ｎｃとする残存搭乗人数算出部と、前記残存搭乗人数算出部が算出した残存する搭乗人数ｎｃが少なくなると前記踏段の速度を減速する速度変更部とを備えることを特徴とする。
【図面の簡単な説明】
【０００８】
【図１】第１実施形態に係る乗客コンベアの制御装置を備える乗客コンベアの側面図である。
【図２】第１実施形態に係る乗客コンベアの制御装置を示すブロック図である。
【図３】負荷記録部に記録された乗客コンベアの搭乗人数の予測値を例示する図である。
【図４】搭乗人数と踏段の移動速度との関係を例示する図である。
【発明を実施するための形態】
【０００９】
（第１実施形態）
以下、第１実施形態について、図面を参照して説明する。
【００１０】
図１に例示する乗客コンベア１は、本実施形態に係る乗客コンベアの制御装置（以下、制御装置という）４０が適用されるエスカレータである。なお、ここでは、制御装置４０を適用する乗客コンベア１としてエスカレータの場合について説明するが、動く歩道に制御装置４０を適用することもできる。
【００１１】
図１に示すように、乗客コンベア１は、建物の上下階に跨って傾斜して設置されたトラス２を備え、トラス２の上階側に駆動スプロケット４が配置され、トラス２の下階側に従動スプロケット６が配置されている。駆動スプロケット４及び従動スプロケット６の間には、複数の踏段８が連結された踏段チェーン１０が掛け渡されている。
【００１２】
上階側のトラス２内に設けられた機械室１２には、モータ１４を駆動源とする駆動装置１６と、乗客コンベア１全体の制御を司る制御装置４０を構成する制御盤２７とが設けられている。
【００１３】
駆動装置１６は、制御装置４０により駆動制御され、駆動チェーン１８を介して駆動スプロケット４を回転駆動する。駆動スプロケット４の回転に伴って踏段チェーン１０が不図示のガイドレールに沿って上階側の乗降口２０と下階側の乗降口２２との間で循環移動し、踏段１８に乗っている利用者を下階から上階へ、又は、上階から下階へ搬送する。
【００１４】
トラス２上部の幅方向両側には、踏段８の移動方向に沿って左右一対の欄干２４が立設されている。欄干２４の外周部には、踏段８と同期して循環移動するベルト状の移動手摺２６が取り付けられている。欄干２４の下側部分には、トラス２と欄干２４との連結部を覆うスカート部２８が上階側の乗降口２０から下階側の乗降口２２の間にわたって設けられている。
【００１５】
制御装置４０は、図２に示すように、乗客コンベア１に搭乗する乗客を検出する乗客検出部４２と、時間帯毎に乗客コンベア１の搭乗人数の予測値ｎａを記録する負荷記録部４４と、乗客コンベアの踏段の移動速度を制御する速度制御部５０と、駆動装置１６のモータ１４に接続されインバータ部４６とを備える。制御装置４０のうち負荷記録部４４、速度制御部５０、及びインバータ部４６は、機械室１２内に設けられた制御盤２７に設けられている。
【００１６】
乗客検出部４２は、上階側の乗降口２０及び下階側の乗降口２２付近に設けられた光電センサや超音波センサ（図示せず）を備え、乗降口２０や乗降口２２を通過して乗客コンベア１に搭乗する乗客を検出する。乗客検出部４２は、乗客を検出するとその結果を主制御部へ出力する。
【００１７】
なお、本実施形態では、乗客検出部４２として、乗降口２０や乗降口２２付近に設けたポールに光電センサや超音波センサを配設する場合について説明したが、これに限るものではなく、例えば、乗降口２０や乗降口２２付近の欄干２４やスカート部２８等に光電センサや超音波センサを設けたり、乗降口２０や乗降口２２の床面を構成する乗降板に作用する重量を検知するセンサを設けるなど、乗降口２０や乗降口２２を通過して乗客コンベアに搭乗する乗客の有無を検出することができる装置であればよい。
【００１８】
負荷記録部４４は、図３に例示するように、乗客コンベアの搭乗人数の予測値ｎａが、曜日と時間帯毎に関連付けて記録されており、現在の時刻に対応する曜日及び時間帯の搭乗人数の予測値ｎａを速度制御部５０へ出力する。
【００１９】
負荷記録部４４は、乗客検出部４２が検出した乗客コンベア１に搭乗する乗客数（搭乗人数）を曜日及び時間帯と関連付けて記録する。そして、負荷記録部４４は、記録した情報（過去に乗客検出部４２が検出した乗客コンベア１に搭乗する乗客の人数）の中から、現在の時刻に対応する曜日及び時間帯、例えば、一週間前の同一曜日の同一時間帯に対応付けて記録されている搭乗人数を読み込み、これを乗客コンベアの搭乗人数の予測値ｎａとして速度制御部５０へ出力する。
【００２０】
ここで、時間帯は、１日間あるいは乗客コンベア１の設置建屋の営業時間など、一定長さの時間を所定時間毎に分割して予め定められている。本実施形態では、例えば、７：００〜８：００、８：００〜９：００、９：００〜１０：００・・・２２：００〜２３：００といったように、７：００から２３：００までが１時間毎に分割され１６個の時間帯に分割されている（図３参照）。
【００２１】
なお、負荷記録部４４が乗客コンベアの搭乗人数の予測値ｎａとして参照する情報は、上記したように一週間前の同一曜日の同一時間帯の搭乗人数に限らず、例えば、１日前の同一時間帯に対応付けて記録されている搭乗人数や、同一曜日の同一時間帯の搭乗人数を複数日で平均化した搭乗人数であってもよく、また、過去に乗客検出部４２が検出した乗客コンベア１の搭乗人数とは関係なく予め時間帯毎に記録した値であってもよい。
【００２２】
速度制御部５０は、図２に示すように、速度決定部５２と、残存搭乗人数算出部５４と、速度変更部５６と、メモリ５８とを備える。この速度制御部５０は、メモリ５８に記憶された図４に例示すような乗客コンベア１の搭乗人数と踏段８の移動速度との関係と、乗客検出部４２から入力される検出信号と、負荷記録部４４から出力される搭乗人数の予測値ｎａとに基づいて踏段８の移動速度を設定し、設定した速度に応じた指令をインバータ部４６へ出力する。
【００２３】
速度決定部５２には、負荷記録部４４から出力された現在の曜日及び時間帯に対応する曜日及び時間帯の乗客コンベアの搭乗人数の予測値ｎａが入力される。そして、速度決定部５２は、メモリ５８に記憶された図４に例示するような搭乗人数と踏段８の移動速度との関係から、入力された搭乗人数の予測値ｎａに対応する踏段８の移動速度を決定する。
【００２４】
残存搭乗人数算出部５４には、乗客検出部４２が検出した乗客コンベア１に搭乗する搭乗人数が逐次入力され、現在の時刻が属する時間帯の中で乗客検出部４２から入力された搭乗人数を積算することで、現在の時間帯における搭乗人数の実測値ｎｂを算出する。
【００２５】
また、残存搭乗人数算出部５４には、負荷記録部４４から出力された現在の時刻に対応する曜日及び時間帯の乗客コンベアの搭乗人数の予測値ｎａが入力されている。
【００２６】
そして、残存搭乗人数算出部５４は、搭乗人数の予想値ｎａと搭乗人数の実測値ｎｂとの差ｎｃ（ｎｃ＝ｎａ−ｎｂ）を算出し、この算出値ｎｃを現在の時間帯において残存する搭乗人数として、これを速度変更部５６へ入力する。
【００２７】
速度変更部５６は、残存搭乗人数算出部５４から出力された現在の時間帯において残存する搭乗人数ｎｃが入力され、メモリ５８に記憶された図４に例示するような搭乗人数と踏段８の移動速度との関係から、残存する搭乗人数ｎｃに対応する踏段８の移動速度を選択する。速度変更部５６は、速度決定部５２が決定した踏段８の移動速度を、速度変更部５６が選択した踏段８の移動速度に変更する。
【００２８】
ここで、図３及び図４を参照して一例を挙げると、現在の時刻が月曜日の７：００の場合、まず、速度決定部５２には、負荷記録部４４から搭乗人数の予想値ｎａとして「５０（人）」が入力される（図３参照）。
【００２９】
メモリ５８に記憶された搭乗人数と踏段８の移動速度との関係によると、搭乗人数が２０人までであると踏段８の移動速度が２０ｍ／ｍｉｎ、搭乗人数が２１から５０人までであると踏段８の移動速度が３０ｍ／ｍｉｎ、搭乗人数が５１人以上であると踏段８の移動速度が４０ｍ／ｍｉｎに設定されている（図４参照）。そこで、速度決定部５２は、搭乗人数の予想値ｎａと図４に示す関係から、踏段８の移動速度を３０ｍ／ｍｉｎに決定し、この移動速度に応じた指令をインバータ部４６へ出力する。
【００３０】
そして、時間が経過して、残存搭乗人数算出部５４が算出する現在の時間帯（この例では７：００〜８：００）における搭乗人数の実測値ｎｂが「３１（人）」となり、現在の時間帯において残存する搭乗人数ｎｃが「１９（人）」となると、速度変更部５６は、残存する搭乗人数ｎｃと図４に示す関係から、踏段８の移動速度を２０ｍ／ｍｉｎに変更し、この移動速度に応じた指令をインバータ部４６へ出力する。
【００３１】
インバータ部４６は、速度制御部５０の指令に応じて、三相交流電源４５から主要回路遮断器４８を経て供給される交流電流の周波数を変換して、駆動装置１６のモータ１４の回転数と回転方向とを制御することで、速度制御部５０で設定された速度で踏段８が移動する。
【００３２】
以上のような本実施形態の制御装置４０では、速度決定部５２が踏段８の移動速度を決定した後、速度変更部５６が、搭乗人数の予測値ｎａと乗客検出部４２で検出された搭乗人数の実測値ｎｂとから算出される当該時間帯において残存する搭乗人数ｎｃに応じて踏段８の移動速度を変更する。
【００３３】
そのため、通勤時間帯のように、同じ時間帯の中で、一部の時間に乗客が集中し、集中する時間が過ぎると搭乗人数が減少する場合に、乗客が集中する時間が経過すると踏段８の移動速度を減速することができ、実際の利用状況に即した適切な運転速度で乗客コンベアを運転させることができる。
【００３４】
以上、本発明の実施形態を説明したが、この実施形態は例として提示したものであり、発明の範囲を限定することを意図していない。この実施形態は、その他の様々な形態で実施されることが可能であり、発明の趣旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３５】
１…乗客コンベア    ２…トラス    ４…駆動スプロケット
６…従動スプロケット    ８…踏段    １０…踏段チェーン
１２…機械室    １４…モータ    １６…駆動装置
１８…駆動チェーン    ２０…上階側の乗降口    ２２…下階側の乗降口
２４…欄干    ２６…移動手摺    ２７…操作盤
２８…スカート部    ４０…制御装置    ４２…乗客検出部
４４…負荷記録部    ４５…三相交流電源    ４６…インバータ部
４８…主要回路遮断部    ５０…速度制御部    ５２…速度決定部
５４…残存搭乗人数算出部    ５６…速度変更部    ５８…メモリ
【図１】
0005496285.tif 000002
【図２】
0005496285.tif 000003
【図３】
0005496285.tif 000004
【図４】
0005496285.tif 000005